(57)【特許請求の範囲】
【請求項１】
円柱状の支保工用支柱の端部内に一端が挿入されたネジ軸と、該ネジ軸の外周に螺合され、外周にハンドルが放射状配置に突設されたネジ筒とを有する支保工高さ調整用のネジ式ジャッキの前記ハンドルを、ネジ軸後退側に移動する向きに回動させる支保工ジャッキダウン装置であって、
前記ハンドルをジャッキダウン方向に動作させる油圧シリンダーと、該油圧シリンダーの反力を支保工に伝達する反力受けとを備え、
前記反力受けは、支保工用支柱に対して回り止めされた状態で、その外周に張り出した形状に取り付けられるジャッキ支持台をもって構成され、該ジャッキ支持台上に水平配置に出入ロッドが出入動作されるように前記油圧シリンダーが固定され、
該油圧シリンダーを、その出入ロッドの先端を前記ハンドルの側面に当接させて作動させることによって前記ネジ軸昇降動作用ナットをネジ軸後退側に移動する向きに回転させるようにした支保工ジャッキダウン装置。
【請求項２】
前記ジャッキ支持台は、中央部分に前記支保工用支柱が貫通される支柱貫通孔を有し、下面側前記開口に連通する回り止め用筒を一体に有する下プレートと、該下プレート上に、該下プレートに対し、円周方向相対角度を調整可能に固定できるようにした上プレートを有し、上プレートに油圧シリンダーを固定しておき、下プレートに対する相対円周角度を調整することによって前記ハンドルに対する油圧シリンダー位置を調整できるようにしてなる請求項１に記載の支保工ジャッキダウン装置。
【請求項３】
前記ジャッキ支持台の両プレートは、それぞれ前記回り止め筒の中心を通る線にて２分割された半体を互いに固定させることによって円盤状に組み立てられるようにしてなる請求項２に記載の支保工ジャッキダウン装置。
【発明の詳細な説明】
【技術分野】
【０００１】
本発明は、主としてコンクリート構造物の構築に際し、型枠支持に使用した支保工の高さ調整用のネジ式ジャッキに対する負荷を解除する支保工ジャッキダウン装置に関する。
【背景技術】
【０００２】
一般に、コンクリート構造物の構築に際しては、型枠を支持させる支保工が用いられている。この支保工には、枠組み支保工、支柱式支保工、くさび式支保工などの各種支保工があるが、その上端と下端には高さを調節するためのジャッキの使用が一般的である。このジャッキは多数必要であるため、通常は、手動の縦向きネジ軸式のジャッキが使用されている。
【０００３】
このジャッキは、型枠の組み立て時には負荷が小さいか、殆ど掛からないものであるため、高さの調整は手動で簡単に行うことができるが、コンクリートを打設した後は、その荷重を支えるものであるため、大きな負荷がかかり、コンクリート硬化後における支保工撤去に際し、ネジ式ジャッキを縮めるためにハンドルを回転させるジャッキダウン操作に大きな力を要する。
【０００４】
このため、従来は作業者がハンマーを使用してハンドルを強打し、ジャッキを縮める方向、即ち除荷方向に回転させる操作を行っていた。
【０００５】
しかし、この方法は、大きな騒音が発生することと、セットハンマーで小さな部品であるハンドルを打撃するものであり、しかもその作業は多くの場合、高所でなされるために安全性にも問題があった。
【０００６】
このような問題を解決するものとして、支保工用支柱の一部に伸縮可能部分を設けておき、円周方向に向けたテーパ面を利用し、テーパに沿って上下の筒部を相対的に回動させることや、テーパ面間に挟んだ動作部材を移動させてテーパ面間を接近させること等によって支保工用支柱長さを僅かに縮小させるようにしたジャッキダウン装置付きの支保工用支柱が開発されている（例えば特許文献１，２，３）。
【先行技術文献】
【特許文献】
【０００７】
【特許文献１】特開平７−１９７６７２号公報
【特許文献２】特開平７−３１０４４３号公報
【特許文献３】特開２００７−２０５０８１号公報
【発明の開示】
【発明が解決しようとする課題】
【０００８】
上述した特許文献に示されている装置は、何れもハンマーにてハンドルを強打するものに比べて騒音が小さく、安全性も高いのであるが、これらは何れも支保工用支柱の途中にジャッキダウンのための伸縮機構を設けるものであり、しかもその構造が複雑で、大きな耐荷重性が要求されるため、支保工用支柱が高価なものとなる。
【０００９】
更に、型枠を支持している縦向き支柱の全てに、この伸縮機構を備えた高価な支保工用支柱を使用する必要があるため、支保工全体が高コストなるという問題があった。
【００１０】
本発明は、このような従来の問題に鑑み、従来使用している伸縮機構を有しない単純形状の廉価な支保工用支柱及びネジ式ジャッキを使用した支保工におけるジャッキダウンが容易にでき、しかも、脱型に際してのジャッキダウンが、少ない個数のジャッキダウン装置によってなされ、無騒音で、かつ安全性の高い支保工ジャッキダウン装置の提供を目的としてなされたものである。
【課題を解決するための手段】
【００１１】
上述の如き従来の問題を解決するための請求項１に記載の発明の特徴は、円柱状の支保工用支柱の端部内に一端が挿入されたネジ軸と、該ネジ軸の外周に螺合され、外周にハンドルが放射状配置に突設されたネジ筒とを有する支保工高さ調整用のネジ式ジャッキの前記ハンドルを、ネジ軸後退側に移動する向きに回動させる支保工ジャッキダウン装置であって、 前記ハンドルをジャッキダウン方向に動作させる油圧シリンダーと、該油圧シリンダーの反力を支保工に伝達する反力受けとを備え、前記反力受けは、支保工用支柱に対して回り止めされた状態で、その外周に張り出した形状に取り付けられるジャッキ支持台をもって構成され、該ジャッキ支持台上に水平配置に出入ロッドが出入動作されるように前記油圧シリンダーが固定され、 該油圧シリンダーを、その出入ロッドの先端を前記ハンドルの側面に当接させて作動させることによって前記ネジ軸昇降動作用ナットをネジ軸後退側に移動する向きに回転させるようにしたことにある。
【００１２】
請求項２に記載の発明の特徴は、請求項１の構成に加え、前記ジャッキ支持台は、中央部分に前記支保工用支柱が貫通される支柱貫通孔を有し、下面側前記開口に連通する回り止め用筒を一体に有する下プレートと、該下プレート上に、該下プレートに対し、円周方向相対角度を調整可能に固定できるようにした上プレートを有し、上プレートに油圧シリンダーを固定しておき、下プレートに対する相対円周角度を調整することによって前記ハンドルに対する油圧シリンダー位置を調整できるようにしたことにある。
【００１３】
請求項３に記載の発明の特徴は、請求項２の構成に加え、前記ジャッキ支持台の両プレートは、それぞれ前記回り止め筒の中心を通る線にて２分割された半体を互いに固定させることによって円盤状に組み立てられるようにしたことにある。
【発明の効果】
【００１４】
本発明は、円柱状の支保工用支柱の端部内に一端が挿入されたネジ軸と、該ネジ軸の外周に螺合され、外周にハンドルが放射状配置に突設されたネジ筒とを有する支保工高さ調整用のネジ式ジャッキの前記ハンドルを、油圧シリンダーと、該油圧シリンダーの反力を支保工に伝達する反力受けとを使用してジャッキダウン方向に動作させるようにしたことにより、従来のようにハンマーによって強打する際のような騒音が無く、また、既存の支保工用支柱に対し、ジャッキダウン操作時にのみ取り付けて操作することができるものであるため、従来のように支保工高さ調整用のネジ式ジャッキを使用している全ての支保工用支柱に、予め設置しておかなければならない構造のものに比べて著しくコストが削減できる。
【００１５】
また、本発明においては、前記反力受けを、支保工用支柱に対して回り止めされた状態で、その外周に張り出した形状に取り付けられるジャッキ支持台をもって構成し、該ジャッキ支持台上に水平配置に出入ロッドが出入動作されるように前記油圧シリンダーが固定され、該油圧シリンダーを、その出入ロッドの先端を前記ハンドルの側面に当接させて作動させることによって前記ネジ軸昇降動作用ナットをネジ軸後退側に移動する向きに回転させるようにすることにより、簡単な構造で、安全性が高く、操作性の良いジャッキダウン装置が提供できる。
【００１６】
更に本発明においては、前記ジャッキ支持台は、中央部分に前記支保工用支柱が貫通される支柱貫通孔を有し、下面側前記開口に連通する回り止め用筒を一体に有する下プレートと、該下プレート上に、該下プレートに対し、円周方向相対角度を調整可能に固定できるようにした上プレートを有し、上プレートに油圧シリンダーを固定しておき、下プレートに対する相対円周角度を調整することによって前記ハンドルに対する油圧シリンダー位置を調整できるようにすることにより、支保工用支柱に対する着脱が容易で、操作性のよい装置が提供できる。
【００１７】
更に本発明では、前前記ジャッキ支持台の両プレートは、それぞれ前記回り止め筒の中心を通る線にて２分割された半体を互いに固定させることによって円盤状に組み立てられるようにすることにより、支保工用支柱に対する着脱が容易となる。
【図面の簡単な説明】
【００１８】
【図１】本発明に係る支保工ジャッキダウン装置の使用状態を示す縦断面図である。
【図２】同上のジャッキダウン装置部分を示す平面図である。
【図３】同上の底面図である。
【図４】同ジャッキダウン装置の分解斜視図である。
【発明を実施するための最良の形態】
【００１９】
次に本発明の実施の形態を図に示した実施例に基づいて説明する。図１〜図３は、本発明に係る支保工ジャッキダウン装置を、型枠を支持している支保工用支柱に取り付けた状態を示している。図中の符号１は支保工ジャッキダウン装置であり、２は支保工を構成している円筒状の支保工用支柱、３は支保工高さ調整用のネジ式ジャッキである。
【００２０】
ネジ式ジャッキ３は、外周に雄ネジを有するネジ軸４と、短円筒管の内面にネジ軸の雄ネジに螺嵌される雌ネジが形成されたネジ筒５とを有し、ネジ筒５の外周には互いに対称な位置に半径方向に伸びる一対のハンドル６，６が突設されている。ネジ軸４の突出側先端には載荷台７が回転自在に取り付けられている。また、ネジ軸４の基端側は支保工用支柱２の端部内に回転可能に嵌合され、その外周に螺嵌された前記ネジ筒５が支保工用支柱２の端面に当接されており、ネジ軸４に対するネジ筒５の位置を軸方向に移動させることによって、載荷台７の支保工用支柱２に対する位置が変動されるようになっている。
【００２１】
支保工ジャッキダウン装置１は、ネジ式ジャッキ３のハンドル６を油圧によってジャッキダウン方向に回動操作させるものであり、図４に示すように、油圧シリンダー１０と、該油圧シリンダー１０反力を支保工用支柱２に伝達する反力受けとから構成されている。
【００２２】
反力受けは、支保工用支柱２に対して回り止めされた状態で、その外周に張り出した形状に取り付けられる円盤状のジャッキ支持台１１によって構成されている。このジャッキ支持台１１は、円盤状の上プレート１２及び下プレート１３によって構成されており、その中心部分に支保工用支柱２が上下に貫通される支柱貫通孔１４，１５が開口されている。
【００２３】
下プレート１３には、その下面に支持柱貫通孔１５に連通する短円筒状の回り止め用筒１６が突設されている。
【００２４】
上下の両板１２，１３は、それぞれ半割り状の半体１２ａ，１２ｂ及び１３ａ，１３ｂを接合させて円盤状を構成しており、下プレート１３の下面の回り止め用筒１６も半割りに形成されている。
【００２５】
上プレート１２は、その上面側に各半体１２ａ，１２ｂの接合縁より上側に突設させたブラケット１７，１７が一体に形成され、この両ブラケット間をボルト１８にて固定することによって円盤状に組み立てられるようになっている。
【００２６】
また、下プレート１３にあっては、両半体の接合縁より下向きに突設させたブラケット１９，１９が一体に形成され、この両ブラケット間をボルト２０によって固定することによって、下プレート１３が円盤状に組み立てられるようになっている。尚、ブラケット１９,１９は、その一端が回り止め筒１６の半割り部分接合縁外側に一体化されている。
【００２７】
上下プレート１２，１３間は、下プレート１３の周縁部に一定間隔毎に多数形成した固定孔２５に対し、上プレート１２に形成したボルト挿入孔２６を通して上下プレート固定ボルト２７を螺合することによって固定されるようになっている。そして、固定孔２５を選択することによって下プレート１３に対する上プレート１２の円周方向角度が調整できるようになっている。
【００２８】
回り止め筒１６には、支保工用支柱２に形成した横穴２１に連通できるピン挿入孔２２が水平方向に貫通開口されており、図に示すように、回り止め筒１６内に支保工用支柱２が嵌り合うようにして半体１３ａ，１３ｂを互いに固定し、下プレート１３を組み立て、回り止め筒１６のピン挿入孔２０及び支保工用支柱２の横穴１９に回り止めピン２３を挿通することによって、下プレート１３が支保工用支柱２に対し回り止めされた状態で嵌合されるようになっている。
【００２９】
回り止めピン２３は、その基端部外周に雄ネジが刻設され、これをピン挿入孔２０内の雌ネジに螺嵌させることによって脱落不能にセットされるようになっている。
【００３０】
上プレート１２には、その中心部分を中心にした点対称位置に一対の油圧シリンダー１０，１０がボルトによって固定されている。この両油圧シリンダー１０は、油圧によって押し出される出入ロッド１０ａ、１０ａが互いに同一円の接線方向に向けて出入される方向に向けて固定され、これによってネジ式ジャッキ３の一対のハンドル６，６をジャッキダウン方向側、即ちネジ軸４を後退させる側に回動させる側面に、各出入ロッド１０ａ，１０ａが当接されるようになっている。
【００３１】
次に、このように構成される支保工ジャッキダウン装置を使用したジャッキダウン工程について説明する。
【００３２】
先ず、ジャッキダウン操作を行うネジ式ジャッキ３が使用されている支保工用支柱２に下プレート１３を取り付ける。この取り付は、回り止め筒１６内に支保工用支柱２を嵌め合わせるようにして半体１２ａ，１２ｂ間をボルト止めする。しかる後、支保工用支柱２の横穴２１に回り止め筒１６のピン挿入孔２０を通して回り止めピン２３を挿入する。
【００３３】
このようにして下プレート１３を支保工用支柱２に固定した後、その上にて上プレート１２を、その支柱貫通孔１４内に支保工用支柱２が挿通されるように組み立てる。しかる後、下プレート１３に対する上プレート１２の相対円周角度を調整する。これによって油圧シリンダー１０の出入ロッド１０ａが、ネジ式ジャッキ３のハンドル６をジャッキダウン方向側に回転させる側の側面に接する位置に最も近い固定孔２５に対し、上プレート１２に形成したボルト挿入孔２６を通して上下プレート固定ボルト２７を螺合する。
【００３４】
このようにして上下プレート１２，１３を互いに固定することで、反力受けであるジャッキ支持台１１を組み立てる。この状態で油圧シリンダー１０，１０に油圧を供給して出入ロッド１０ａ，１０ａを押し出すことによって、ハンドル６，６をジャッキダウン方向に回動させ、ジャッキに対する荷重を開放させる。
【００３５】
このようにして１つの支保工用支柱２のジャッキダウンが完了した後、支保工ジャッキダウン装置を取り外し、別の支保工用支柱２におけるジャッキダウンに使用する。
【符号の説明】
【００３６】
１ 支保工ジャッキダウン装置
２ 支保工用支柱
３ ネジ式ジャッキ
４ ネジ軸
５ ネジ筒
６ ハンドル
７ 載荷台
１０ 油圧シリンダー
１０ａ 出入ロッド
１１ ジャッキ支持台
１２ 上プレート
１２ａ，１２ｂ 半体
１３ 下プレート
１３ａ，１３ｂ 半体
１４，１５ 支柱貫通孔
１６ 回り止め用筒
１７ ブラケット
１８ ボルト
１９ ブラケット
２０ ボルト
２１ 横穴
２２ ピン挿入孔
２３ 回り止めピン
２５ 固定孔
２６ ボルト挿入孔
２７ 上下プレート固定ボルト
【図１】
0005557136.tif 000002
【図２】
0005557136.tif 000003
【図３】
0005557136.tif 000004
【図４】
0005557136.tif 000005